(57)【特許請求の範囲】
【請求項１】
相互に嵌合接続される一組の雌雄コネクタの内、前方に開口したインナハウジングと該インナハウジングを覆いスライダを摺動可能に装着するアウタハウジングとから構成され、前記インナハウジング上の前端にハウジングロックを備えた後端が前記アウタハウジングに支持されたロックアームが設けられた一方のコネクタと、
ハウジング上に前記スライダに衝き当たる押圧リブを備え、該押圧リブ先端の対向した両側部に前記ロックアームを撓ませ、かつ前記ハウジングロックを係合する一対の係合突起が設けられた他方のコネクタと、
前記スライダが前記アウタハウジング内を軸方向に摺動する第１スライド部材と、該第１スライド部材後方に係合される第２スライド部材と、該第２スライド部材内に保持され、かつ前記第１、第２スライド部材を互に離反させる方向に弾性力が働く弾性部材とから構成されているコネクタ嵌合構造において、
前記第２スライド部材上部の嵌合解除時に操作する離脱防止部の前端下面に解除突起が設けられ、嵌合解除時に嵌合方向に操作力を加えて前記第２スライド部材を前方に移動させることで前記解除突起が前記ロックアーム中央上部に設けられた押圧部に当接して前記ロックアームを下方に撓ませることで前記一方のコネクタの前記ハウジングロックと前記他方のコネクタの前記係合突起との係合状態が解除されることを特徴とするコネクタ嵌合構造。
【請求項２】
前記第２スライド部材が、前記アウタハウジングの裏面に設けられた第１係合部に係合される第１係合アームを備え、嵌合解除時に前記第２スライド部材を前方に移動させることで、該第１係合アームが前記第１スライド部材に設けられたスライド溝内に逃げることを特徴とする請求項１記載のコネクタ嵌合構造。
【発明の詳細な説明】
【０００１】
【発明の属する技術分野】
本発明は、相互に嵌合接続される一組の雌雄コネクタの少なくとも一方のハウジングに装着した弾性部材の反発力により中途嵌合を確実に防止すると共に、相手コネクタとの嵌合ロックを確実に行い、かつ容易に解除操作を行うことができるコネクタ嵌合構造に関する。
【０００２】
【従来の技術】
通常、自動車等の車両には、多数の電子機器が搭載されており、それら機器への電源供給や制御のために様々なケーブルとそのケーブル接続用の雌雄コネクタが多用されている。この雌雄コネクタにおいては、振動や冠水など厳しい環境で使用される場合を考慮して防水機能を有すると共に、組み立て工程やメンテナンス時を考慮してケーブルを簡便に接続したり取り外すことができる機能を有している。そして、この雌雄コネクタの嵌合状態を検知できるコネクタ嵌合構造も種々なものが提案されている。
【０００３】
従来の雌雄コネクタの嵌合状態を検知できるコネクタ嵌合構造の一例を図９〜図１３を参照して説明する。
図９に示すように従来のコネクタ嵌合構造５１を構成する一方のコネクタである雄コネクタ６０は、端子収容室を備え前方に開口したインナハウジング６２と、その上部に後述するスライダ７０を摺動可能に装着するとともに、前記インナハウジング６２外周を覆うフード部を形成するアウタハウジング６１とから構成されている。
【０００４】
前記アウタハウジング６１は、スライダ７０を収容するスライダ収容部６３を形成するためのものであり、その両側端のハウジング内壁にはスライダ７０の両側端部を案内するガイド溝６５が設けられている。このスライダ収容部６３内のインナハウジング６２上には嵌合方向の軸線に沿って前方側に自由端部を有するロックアーム６６が一体的に設けられている。
【０００５】
また、ロックアーム６６の先端上部には後述する相手側ハウジング９１の係合突起９３（図９参照）を係止する一対のハウジングロック６８が設けられており、中央上部には嵌合解除時に操作する押圧部６９が設けられている。
また、スライダ収容部６３後方の嵌合方向の軸線に沿って後方側に、自由端部の後端に係止突起６７ａを備え、スライダ７０の後方への移動を一時的に阻止する一対の係止アーム６７が設けられている。
【０００６】
また、スライダ７０は、ガイド溝６５に案内されてスライダ収容部６３内を摺動する第１スライド部材７１と、該第１スライド部材７１後方に係合される第２スライド部材７６と、該第２スライド部材７６内に保持される弾性部材である圧縮バネ８３とから構成されている。
第１スライド部材７１は、後方に延びると共に圧縮バネ８３の一方端と当接する一対のストッパアーム部７３、７３と、ストッパアーム部７３を連結する連結部７４から成っている。この連結部７４の下方には後述する雌コネクタ９０側の押圧リブ９２が当接する当接部７５が設けられている。また、連結部７４の両側端には、後述する第２スライド部材７６側の係合アーム部７８の移動を許容する一対のスライド溝７２、７２が設けられている。
【０００７】
また、第２スライド部材７６は、ガイド溝６５内に外側部分が摺動自在に嵌入され、前端下部にロックアーム６６先端のハウジングロック６８を変位時に係止する係止部７７が前方に延設されている。また、第２スライド部材７６の中央上部には嵌合解除時に操作する可撓性を有する操作部７９が設けられ、スライダー収容部６３内への挿着時にロックアーム６６の押圧部６９を上方から覆うようになる。
また、第２スライド部材７６の両側端には第１スライド部材７１のストッパアーム部７３に係止される一対の係合アーム部７８、７８が設けられている。また、第２スライド部材７６の両内壁部分には、圧縮バネ８３を収容保持するバネ収容室８１が設けられている。
【０００８】
次に、他方のコネクタである雌コネクタ９０は、前方に開口したハウジング挿入口９４を備え、ハウジング９１上の外壁中央部分に第１スライド部材７１の当接部７５に衝き当たる押圧リブ９２が立設されており、該押圧リブ９２の対向した両側部にロックアーム６６を撓ませ、かつハウジングロック６８を係合する一対の係合突起９３、９３が設けられている。
【０００９】
次に、上述した構成のコネクタ嵌合構造５１における雌雄コネクタ６０、９０の嵌合作用を説明する。
先ず、図９に示すようにスライダ７０の組付けを行う。即ち、スライダ７０の組付けは、１組の圧縮バネ８３を第２スライド部材７６内のバネ収容室８１内に挿着してから、第１スライド部材７１のストッパアーム部７３をバネ収容室８１内に保持した状態で第１スライド部材７１と第２スライド部材７６が一体化される。
【００１０】
次に、スライダ７０の雄コネクタ６０への組付けは、雄コネクタ６０の前方からスライダ収容部６３内にスライダ７０が押し込まれる。この時、第１スライド部材７１のストッパアーム部７３および連結部７４の側端部分、並びに第２スライド部材７６の側端部分がガイド溝６５内に嵌入され、第２スライド部材７６の後端部分が係止アーム６７に突き当たってスライダ７０の装着が完了する。
【００１１】
次に、上述した従来形態のコネクタ嵌合構造５１を構成する雌雄コネクタ６０、９０の嵌合作用について図１０〜図１２を参照しながら説明する。
図１０に示すように雄コネクタ６０のインナハウジング６２と雌コネクタ９０のハウジング挿入口９４を対峙させた状態から雄コネクタ６０のアウタハウジング６１を雌コネクタ９０のハウジング９１に外嵌させるように雌雄コネクタの嵌合操作を開始する。この時、雌コネクタ９０の押圧リブ９２が第２スライド部材７６の挿通切欠部７７ａ（図９参照）に嵌入され、押圧リブ９２前端が第１スライド部材７１の当接部７５に当接する。
【００１２】
そして、図１１に示すように雌コネクタ９０の押圧リブ９２が、第１スライド部材７１を押し込みながら雄コネクタ６０のロックアーム６６の挿通空間６６ａ（図９参照）内に挿入される。この時、ロックアーム６６先端部分のハウジングロック６８の傾斜面と押圧リブ９２前端部分の係合突起９３が摺接して、ロックアーム６６先端側を雌コネクタ９０のハウジング９１側（図中下方）に変位させる。従って、ハウジングロック６８先端部分が第２スライド部材７６の係止部７７に係合され、第２スライド部材７６が第１スライド部材７１と共に一体的に摺動できない状態となる。
【００１３】
さらに、嵌合操作を進めると、押圧リブ９２に押されて第１スライド部材７１が後方に移動する。この時、第１スライド部材７１側部のスライド溝７２（図９参照）内への第２スライド部材７６の係合アーム部７８（図９参照）の移動が許容される。この第２スライド部材７６が制止された状態で第１スライド部材７１が移動することで、第２スライド部材７６内の圧縮バネ８３が圧縮され、弾性復帰しようとする復元力が発生する。
仮に、この雄コネクタ６０側のハウジングロック６８と雌コネクタ９０側の係合突起９３が完全に係合していない中途嵌合状態で、嵌合動作を停止させると圧縮バネ８３の復元力で嵌合方向とは逆の離脱方向に第１スライド部材７１が押し戻される。これにより、第１スライド部材７１の当接部７５に当接していた押圧リブ９２を介して雌コネクタ９０が離脱方向に押し戻され、中途嵌合状態を防止することができる。
【００１４】
さらに、図１２に示すように圧縮バネ８３に抗して嵌合操作を進めると、雌コネクタ９０側の係合突起９３がロックアーム６６先端のハウジングロック６８を乗り越えて弾性復帰する。これにより、ハウジングロック６８先端部分と第２スライド部材７６先端の係止部７７との係合状態が解除され、ハウジングロック６８が係合突起９３後端に係合される。従って、雄コネクタ６０と雌コネクタ９０が完全嵌合状態になり、双方のコンタクト６４、９５も電気的に完全な接続状態となる。
【００１５】
次に、図１３に示すように上記完全嵌合状態を解除する場合は、第２スライド部材７６の操作部７９を手指等で押さえながら露出していたロックアーム６６の押圧部６９を覆う位置まで圧縮バネ８３の復元力に抗して前方に移動させる。そして、操作部７９を下方向に押圧させると、押圧部６９が下方に押され、ロックアーム６６のハウジングロック６８が下方に変位することで、ハウジングロック６８と係合突起９３との係合状態が解除される。この時、圧縮されていた圧縮バネ８３の復元力で第１スライド部材７１が前方に押し戻される。
これにより、第１スライド部材７１の当接部７５に当接していた雌コネクタ９０側の押圧リブ９２を介して雌コネクタ９０が離脱方向に押し戻される。よって、コネクタ離脱時の離脱力を低減させることができ、離脱作業の向上を図ることができる。
【００１６】
【発明が解決しようとする課題】
しかしながら、上記従来のコネクタ嵌合構造５１は、前述したように嵌合解除時に、第２スライド部材７６の操作部７９を手指等で押さえながら露出していたロックアーム６６の押圧部６９を覆う位置まで圧縮バネ８３の復元力に抗して前方に移動させてから、操作部７９を下方に押圧しなければならないので、操作性が悪いという問題があった。
また、第２スライド部材７６を圧縮バネ８３の復元力に抗して強い力で押しながら操作部７９を下方に押圧するので、必要以上に大きな過度の押圧力を加えてしまう可能性がある。これにより、ロックアーム６６を過度に変位させることになり、場合によってはロックアーム６６を破損させてしまうという問題があった。
【００１７】
本発明の目的は、上記課題に鑑みてなされたものであり、一組の雌雄コネクタの嵌合操作時に中途嵌合状態が確実に検知されると共に、嵌合解除操作が容易なコネクタ嵌合構造を提供することである。
【００１８】
【課題を解決するための手段】
本発明に係わる上記課題は、下記１）及び２）項に記載したコネクタ嵌合構造によって解決することができる。
１）相互に嵌合接続される一組の雌雄コネクタの内、前方に開口したインナハウジングと該インナハウジングを覆いスライダを摺動可能に装着するアウタハウジングとから構成され、前記インナハウジング上の前端にハウジングロックを備えた後端が前記アウタハウジングに支持されたロックアームが設けられた一方のコネクタと、ハウジング上に前記スライダに衝き当たる押圧リブを備え、該押圧リブ先端の対向した両側部に前記ロックアームを撓ませ、かつ前記ハウジングロックを係合する一対の係合突起が設けられた他方のコネクタと、前記スライダが前記アウタハウジング内を軸方向に摺動する第１スライド部材と、該第１スライド部材後方に係合される第２スライド部材と、該第２スライド部材内に保持され、かつ前記第１、第２スライド部材を互に離反させる方向に弾性力が働く弾性部材とから構成されているコネクタ嵌合構造において、
前記第２スライド部材上部の嵌合解除時に操作する離脱防止部の前端下面に解除突起が設けられ、嵌合解除時に嵌合方向に操作力を加えて前記第２スライド部材を前方に移動させることで前記解除突起が前記ロックアーム中央上部に設けられた押圧部に当接して前記ロックアームを下方に撓ませることで前記一方のコネクタの前記ハウジングロックと前記他方のコネクタの前記係合突起との係合状態が解除されることを特徴とするコネクタ嵌合構造。
【００１９】
２）前記コネクタ嵌合構造において、好ましくは前記第２スライド部材が、前記アウタハウジングの裏面に設けられた第１係合部に係合される第１係合アームを備え、嵌合解除時に前記第２スライド部材を前方に移動させることで、該第１係合アームが前記第１スライド部材に設けられたスライド溝内に逃げることを特徴とするコネクタ嵌合構造。
【００２０】
上記構成のコネクタ嵌合構造によれば、第２スライド部材が一方のコネクタのアウタハウジングの裏面に設けられた第１係合部に係合する可撓性の第１係合アームを備えているので、他方のコネクタのハウジングが一方のコネクタに嵌入して、他方のコネクタの係合突起がハウジングロックを押し下げた後、スライド溝内に第１係合アームの先端部分を逃がさない限り第１係合アームは第１係合部から解除されない。
そして、第２スライド部材に嵌合解除時に操作する離脱防止部の前端下面に解除突起が設けられているので、雌雄コネクタの嵌合解除時に第２スライド部材を直接又は離脱防止部を介して前方へ押し出すだけで良いから、嵌合解除時の操作が容易となり作業性の向上を図ることができる。
また、ロックアームの撓み量は解除突起と押圧部の高さで決まるので、ロックアームが過度に変位されて破損するようなことはなく、雌雄コネクタの耐久性を向上させることができる。
【００２１】
また、第２スライド部材がアウタハウジングの裏面に設けられた第１係合部に係合される第１係合アームを備え、嵌合解除時に第２スライド部材を前方に移動させることで、該第１係合アームが第１スライド部材に設けられたスライド溝内に逃げるので、比較的小さな押圧力でロックアームのハウジングロックと他方のコネクタの係合突起との係合状態を解除することができる。従って、雌雄コネクタの嵌合解除時の作業性を一層向上させることができる。
【００２２】
【発明の実施の形態】
以下、本発明のコネクタ嵌合構造の一実施形態を図１乃至図８に基づいて詳細に説明する。図１は本発明のコネクタ嵌合構造の一実施形態を示す縦断面図、図２は図１におけるスライダの分解斜視図、図３は図１における雌雄コネクタハウジングの斜視図、図４は図１における嵌合開始時の作動説明図、図５は図１における嵌合途中の作動説明図、図６は図１におけるさらに嵌合が進んだ状態を示す作動説明図、図７は図１における嵌合完了時の縦断面図、図８は図７における嵌合解除時の作動説明図である。
【００２３】
図１乃至図３に示すコネクタ嵌合構造１は、相互に嵌合接続される一組の雌雄コネクタの内、一方のコネクタとしての雄コネクタ１０にはソケットコンタクト１４を嵌入し前方に開口したインナハウジング１２と、該インナハウジング１２の上部にスライダ２０を摺動可能に装着すると共に、インナハウジング１２を覆うフード状のアウタハウジング１１とから構成されている。
前記インナハウジング１２上には嵌合方向の軸線に沿って設けられた可撓性を有するロックアーム１６が、前端に鈎状のハウジングロック１８を備え、該ロックアーム１６の中央上部には嵌合解除時に操作する押圧部１９が設けられている。
【００２４】
さらに詳しくは、上記インナハウジング１２の上面とアウタハウジング１１の上面裏側との間はスライダ収容部１３が形成されており、その両側端のハウジング内壁にはスライダ２０の両側端部を案内するガイド溝１５が設けられている。
また、ロックアーム１６とアウタハウジング１１内壁との間にスライダ２０を挿入するための側方空間１３ａが設けられている。また、ロックアーム１６及びハウジングロック１８の間には挿通空間１６ａが設けられており、インナハウジング１２の外周にはシール部材１２ａ（図４参照）が被せられている。
さらに、アウタハウジング１１の裏面には、後述する第１係合アーム２８を係合する第１係合部４６が設けられ、後述する第２係合アーム４７に係合する第２係合部４８が設けられている。
【００２５】
上記スライダ２０は、アウタハウジング１１内を軸方向に摺動する第１スライド部材２１と、該第１スライド部材２１後方に係合される第２スライド部材２６と、該第２スライド部材２６内に保持され、第１、第２スライド部材２１、２６を互に離反させる方向に弾性力が働く弾性部材としての圧縮バネ３３とから構成されている。
【００２６】
上記第１スライド部材２１は、後方に延設されると共に圧縮バネ３３の一方端と当接する一対のストッパアーム部２３と、該一対のストッパアーム部２３を前端部で連結する連結部２４とから成り、該連結部２４の前端部下方には後述する雌コネクタ４０側の押圧リブ４２が当接する当接部２５が設けられている。また、ストッパアーム部２３の上部には後述する係止補助アーム４９を係止するための係止補助面２３ａが設けられている。
また、雌雄コネクタの嵌合操作時に第１、第２スライド部材２１、２６が接近する際、後述する第１係合アーム２８の先端部分を逃がすためのスライド溝２２が連結部２４の後端部に設けられている。
【００２７】
上記第２スライド部材２６は、前端下部にハウジングロック１８の下方向変位を押さえる係止部２７が前方に延設され、中央上部に嵌合解除時に操作するための離脱防止部２９が設けられ、スライダ２０のアウタハウジング１１への装着時には前述した押圧部１９を覆うようになる。また、雌雄コネクタ１０、４０の嵌合時に雌コネクタ４０の後述する押圧リブ４２が干渉しないように、一対の係止部２７、２７間には切欠き部２７ａが設けられている。
また、、嵌合解除時に第２スライド部材２６を前方に移動させることでロックアーム１６の押圧部１９に当接して、該ロックアーム１６を下方に撓ませてハウジングロック１８の係合状態を解除させるための解除突起５０が離脱防止部２９の前端下面に設けられている。
また、第１スライド部材２１の係止補助面２３ａに係止される係止補助突起４９ａを前端下面に有し、平板状で可撓性を有する一対の係止補助アーム４９を備えている。また、係止部２７の後端面に後方下がりの傾斜角βの傾斜面３０が設けられている（図８参照）。
【００２８】
さらに、第２スライド部材２６は、アウタハウジング１１の裏面に設けられた第１係合部４６に係合される鉤状の第１係止突起２８ａを前端上面に有し、可撓性を有する一対の第１係合アーム２８を離脱防止部２９の両側に備え、アウタハウジング１１に設けられた第２係合部４８に係合される鉤状の第２係止突起４７ａを前端下面に有し、可撓性を有する第２係合アーム４７を離脱防止部２９の下方に備えている。
【００２９】
また、他方のコネクタとしての雌コネクタ４０のハウジング４１内には、ピンコンタクト４５が嵌合方向に突出しており、ハウジング４１上の外壁中央部分には、前述した第１スライド部材２１の当接部２５に突き当たる押圧リブ４２が嵌合方向に沿って延設されている。また、押圧リブ４２先端の対向した両側部にはロックアーム１６を撓ませ、ハウジングロック１８を係合する一対の係合突起４３が設けられている。
【００３０】
次に、上述した構成のコネクタ嵌合構造１の嵌合作用を説明する。先ず、図２に示すように第２スライド部材２６の両側に圧縮バネ３３をセットした後、第１スライド部材２１のストッパアーム部２３を当接させると、係止補助面２３ａに係止補助アーム４９の係止補助突起４９ａが係止されることでスライダ２０の組み付けが完了する。
【００３１】
次に、図３に示したようにアウタハウジング１１のガイド溝１５に沿ってスライダ収容部１３内にスライダ２０の第１スライド部材２１の連結部２４の前端面が面一になるまで挿入する。すると、図１に示したように第２スライド部材２６の第１係合アーム２８の第１係止突起２８ａがアウタハウジング１１の第１係合部４６に係止されると共に、第２係合アーム４７の第２係止突起４７ａが第２係合部４８に係止される。
従って、第２スライド部材２６は、一対の第１係合アーム２８と第２係合アーム４７の計３箇所で雄コネクタ１０のアウタハウジング１１に係止されるので、アウタハウジング１１の第１、第２係合部４６、４８から第１、第２係合アーム２８、４７が外れて後方に移動するようなことはない。
【００３２】
次に、図４に示すように雌コネクタ４０のハウジング４１の内壁が雄コネクタ１０のインナハウジング１２の外周に案内されるように挿入されると、押圧リブ４２の先端は第１スライド部材２１の当接部２５に当接されると共に、第２スライド部材２６の係止部２７はハウジング４１上面に滑入される。
【００３３】
次に、図５に示すように嵌合が進むと、第２スライド部材２６はその位置を保持されたまま第１スライド部材２１のみが圧縮バネ３３の弾性力に抗して雌コネクタ４０の押圧リブ４２に押圧され、圧縮バネ３３を縮めながらスライダ収容部１３内の後方へ移動する。すると、係合突起４３はハウジングロック１８を押下げるのでロックアーム１６は下方へ撓む。
【００３４】
次に、図６に示すように更に嵌合が進むと、第１係合アーム２８は第１係合部４６から解除されてスライド溝２２内に逃げるようにもぐり込むと共に、第２係合アーム４７も雌コネクタ４０のハウジング４１先端部に押圧されて第２係合部４８から解除される。そして、圧縮バネ３３の弾性力により第２スライド部材２６の係止部２７はハウジングロック１８先端を後方へ押圧する。
この段階で、仮に雌コネクタ４０の嵌合力を解除すると、第１スライド部材２１は圧縮バネ３３の弾性力によって前方へ押圧されているから当接部２５及び押圧リブ４２を介して雌コネクタ４０が離反方向に押し戻される。また、コネクタ嵌合が完了していないと、ロックアーム１６上の押圧部１９が第２スライド部材２６の離脱防止部２９にほぼ覆われているので不完全嵌合であることを目視でも検知できる。
【００３５】
次に、図７に示すように雌コネクタ４０が嵌合方向に更に押されると、下方へ撓んでいるロックアーム１６は元の位置に復帰すると共に、ハウジングロック１８は係合突起４３に係合される。すると、係止部２７がハウジングロック１８から解除されるので、圧縮バネ３３の弾性力により第２スライド部材２６は雄コネクタ１０の後部へ移動する。この時、係止部２７はハウジングロック１８の下面に潜り込むので、ハウジングロック１８は係合突起４３に係合されたまま撓めない状態にロックされる。
従って、雌雄コネクタ１０、４０は完全嵌合状態となり、振動等により嵌合状態が解除されるようなことはない。また、第２スライド部材２６の離脱防止部２９はロックアーム１６上部の押圧部１９より後方へ離れているので、目視により完全嵌合状態であることが検知できる。また、圧縮バネ３３の反発力が急減する節度感でも完全嵌合状態を検知できる。
【００３６】
次に、上述した構成のコネクタ嵌合構造１の嵌合解除操作を説明する。
図８に示すように完全嵌合状態の雌雄コネクタ１０、４０は、先ず第２スライド部材２６の離脱防止部２９が手指等により圧縮バネ３３の反発力に抗して前方に押されると、第１係合アーム２８が第１係合部４６に当接して押し下げられてから、第１スライド部材２１のスライド溝２２内に逃げる。この時、離脱防止部２９の前端下面に設けられた解除突起５０がロックアーム１６上部の押圧部１９に当接する。そして、さらに第２スライド部材２６が前方へ押されると、第２スライド部材２６の係止部２７もハウジングロック１８の前方に前進してロック状態が解除されるので、ロックアーム１６は下方に撓む。この撓みによりハウジングロック１８と係合突起４３との係合状態が解除され、圧縮バネ３３の反発力によって雄コネクタ１０と雌コネクタ４０は離反方向に引き離される。
【００３７】
上述したように本実施形態におけるコネクタ嵌合構造によれば、雌コネクタ４０のハウジング４１が雄コネクタ１０に嵌入して、係合突起４３がハウジングロック１８を押し下げた後、第１係合アーム２８がスライド溝２２内に逃げることで、該第１係合アーム２８は第１係合部４６から解除される。
この時、第２係合アーム４７が雌コネクタ４０のハウジング４１先端部に押圧されて第２係合部４８から解除されることで、下方へ撓んでいたロックアーム１６が元の位置に復帰してハウジングロック１８が係合突起４３に係合されて完全嵌合状態となる。
【００３８】
そして、雌雄コネクタ１０、４０の嵌合解除時は、第２スライド部材２６の離脱防止部２９が前方に押されることで、第１係合アーム２８が第１スライド部材２１のスライド溝２２内に逃げると共に、解除突起５０が押圧部１９に当接する。そして、さらに第２スライド部材２６が前方へ押されると、ロックアーム１６が下方に撓んでハウジングロック１８と係合突起４３との係合状態が解除されて、圧縮バネ３３の反発力によって雄コネクタ１０と雌コネクタ４０は離反方向に容易に引き離される。
従って、嵌合解除時に第２スライド部材を比較的小さな押圧力で前方へ押し出すだけで良いから、解除操作が容易となり作業性の向上を図ることができると共に、ロックアームが過度に変位されて破損するようなことはなく雌雄コネクタの耐久性を向上させることができる。
【００３９】
なお、本発明は上述した実施形態に限定されるものでないことはいうまでもなく、種々な実施形態に適用することが可能である。例えば、本実施形態ではスライダ２０は雄コネクタ１０側に収容されていたが、雌コネクタ４０側に収容することも可能である。
また、ロックアーム１６や第１係合アーム２８が各々一対ずつ設けられていたが、１本であっても対応できる。また、第２係合アーム４７は必ずしも１本ではなく、一対であっても差支えない。
【００４０】
【発明の効果】
以上説明したように本発明のコネクタ嵌合構造によれば、嵌合解除時に操作するための離脱防止部の前端下面に解除突起が設けられ、該嵌合解除時に第２スライド部材を前方に移動させることで解除突起がロックアームの押圧部に当接してロックアームを下方に撓ませ、一方のコネクタのハウジングロックと他方のコネクタの係合突起との係合状態を解除させる。
従って、雌雄コネクタの嵌合解除時に第２スライド部材を前方へ押し出すだけで良いから、嵌合解除時の操作が容易となり作業性の向上を図ることができる。
また、ロックアームの撓み量は解除突起と押圧部の高さで決まるので、ロックアームが過度に変位されて破損するようなことはなく、雌雄コネクタの信頼性と共に耐久性を向上させることができる。
【００４１】
また、前記コネクタ嵌合構造において、好ましくは第２スライド部材がアウタハウジングの裏面に設けられた第１係合部に係合される第１係合アームを備え、嵌合解除時に第２スライド部材を前方に移動させることで、該第１係合アームが第１スライド部材に設けられたスライド溝内に逃げる。
従って、比較的小さな押圧力でロックアームのハウジングロックと他方のコネクタの係合突起との係合状態を解除することができるので、雌雄コネクタの嵌合解除時の作業性を一層向上させることができる。
【図面の簡単な説明】
【図１】本発明のコネクタ嵌合構造の一実施形態を示す縦断面図である。
【図２】図１におけるスライダの分解斜視図である。
【図３】図１における雄コネクタ及び雌コネクタ要部の斜視図である。
【図４】図１における嵌合開始時の作動説明図である。
【図５】図１における嵌合途中の作動説明図である。
【図６】図１におけるさらに嵌合の進んだ状態の作動説明図である。
【図７】図１における嵌合完了時の作動説明図である。
【図８】図１における嵌合解除時の作動説明図である。
【図９】従来のコネクタ嵌合構造の一例を示す分解斜視図である。
【図１０】図９における嵌合開始時の作動説明図である。
【図１１】図９における嵌合途中の作動説明図である。
【図１２】図９における嵌合完了時の作動説明図である。
【図１３】図１２における嵌合解除時の作動説明図である。
【符号の説明】
１    コネクタ嵌合構造
１０    雄コネクタ（一方のコネクタ）
１１    アウタハウジング
１２    インナハウジング
１６    ロックアーム
１８    ハウジングロック
１９    押圧部
２０    スライダ
２１    第１スライド部材
２２    スライド溝
２３    ストッパアーム
２３ａ  係止補助面
２４    連結部
２５    当接部
２６    第２スライド部材
２７    係止部
２８    第１係合アーム
２８ａ  第１係止突起
２９    離脱防止部
３０    傾斜面
３３    弾性部材（圧縮バネ）
４０    雌コネクタ（他方のコネクタ）
４１    ハウジング
４２    押圧リブ
４３    係合突起
４６    第１係合部
４７    第２係合アーム
４７ａ  第２係止突起
４８    第２係合部
４９    係止補助アーム
４９ａ  係止補助突起
５０    解除突起
【図１】
0004166903.tif 000002
【図２】
0004166903.tif 000003
【図３】
0004166903.tif 000004
【図４】
0004166903.tif 000005
【図５】
0004166903.tif 000006
【図６】
0004166903.tif 000007
【図７】
0004166903.tif 000008
【図８】
0004166903.tif 000009
【図９】
0004166903.tif 000010
【図１０】
0004166903.tif 000011
【図１１】
0004166903.tif 000012
【図１２】
0004166903.tif 000013
【図１３】
0004166903.tif 000014